(57)【要約】【課題】基板ケースの不正開放を容易に発見し得る不正開放防止機構を有する遊技機の基板ケースを提供する。【解決手段】ベース部材２とカバー部材３の間に不正開放防止機構５を有する基板ケース１であって、ベース部材２とカバー部材３の間に、カバー部材３をベース部材２に対してスライドさせることでカバー部材３とベース部材２とを連結するスライド連結機構４が設けられている。不正開放防止機構５は、カバー部材３のスライド後端側に設けられたカバー台座部７と、ベース部材２に設けられたベース台座部６と、カバー台座部７とベース台座部６とを接続する接続部材８を有している。カバー台座部７とベース台座部６は、カバー部材３をベース部材２に対してスライドさせることでスライド方向に対して直行する方向に重なり、接続部材８がカバー台座部７とベース台座部６とに跨る位置に挿入され、かつ抜け方向への移動が不能とされる構成になっている。【選択図】図２
2008036338.tif 000002
【特許請求の範囲】
【請求項１】
遊技機の制御をなす制御基板を格納するベース部材とカバー部材とを有し、これらベース部材とカバー部材の間に不正開放防止機構が設けられている遊技機の基板ケースであって、
前記ベース部材と前記カバー部材の間には、前記カバー部材を前記ベース部材に対してスライドさせることで前記カバー部材と前記ベース部材とを連結するスライド連結機構が設けられており、
前記不正開放防止機構は、前記カバー部材のスライド後端側に設けられたカバー台座部と、前記ベース部材に設けられたベース台座部と、前記カバー台座部と前記ベース台座部とを接続する接続部材を有しており、
前記カバー台座部と前記ベース台座部は、前記カバー部材を前記ベース部材に対してスライドさせることでスライド方向に対して直行する方向に重なり、前記接続部材が前記カバー台座部と前記ベース台座部とに跨る位置に挿入され、かつ抜け方向への移動が不能とされる構成になっていることを特徴とする遊技機の基板ケース。
【発明の詳細な説明】
【技術分野】
【０００１】
本発明は、パチンコ機やスロットマシンなどの遊技機を制御する制御基板を収容する基板ケースに関する。詳しくは、基板ケースを不正に開放できなくすることで制御基板への不正行為を防止する不正開放防止機構を有する基板ケースに関する。
【背景技術】
【０００２】
パチンコ機やスロットマシンなどの遊技機は、遊技機の作動を制御する制御基板を有しており、制御基板は、例えば特許文献１，２に記載の基板ケースに収容されている。基板ケースは、ベース部材とカバー部材を有しており、ベース部材とカバー部材の間には、不正開放防止機構が設けられている。不正開放防止機構は、基板ケースを開放できなくし、基板ケースを開放したときに痕跡が残る構成になっている。そのため基板ケースの不正開放が不正開放防止機構によって発見され得る。
【０００３】
特許文献１，２に記載の不正開放防止機構は、ベース部材に設けられたベース台座部と、カバー部材に設けられたカバー台座部と、これらを接続する接続部材を有している。カバー台座部は、カバー部材をベース部材に被せることでベース台座部に重なる。接続部材は、カバー台座部とベース台座部に跨ってねじ込まれたり、あるいは両台座部に嵌め込まれたりすることによって、カバー部材をベース部材に対して保持する。したがって基板ケースを閉じた状態に保持することができる。一方、基板ケースを開放させる際には、カバー台座部をカバー部材から切断する必要があって、切断痕によって基板ケースの不正開放が発見され得る。
【特許文献１】特開２００６−３４６０８号公報
【特許文献２】特開２００６−２０７２８号公報
【発明の開示】
【発明が解決しようとする課題】
【０００４】
しかしカバー台座部とカバー部材を鋭利な刃物等で切断した場合には、その切断痕が目立たず、不正開放の発見が容易でない場合もある。
そこで本発明は、基板ケースの不正開放を容易に発見し得る不正開放防止機構を有する遊技機の基板ケースを提供することを課題とする。
【課題を解決するための手段】
【０００５】
前記課題を解決するために本発明は、各請求項に記載の通りの構成を備える遊技機の基板ケースであることを特徴とする。
請求項１に記載の発明によると、ベース部材とカバー部材の間には、カバー部材をベース部材に対してスライドさせることでカバー部材とベース部材とを連結するスライド連結機構が設けられている。不正開放防止機構は、カバー部材のスライド後端側に設けられたカバー台座部と、ベース部材に設けられたベース台座部と、カバー台座部とベース台座部とを接続する接続部材を有している。そしてカバー台座部とベース台座部は、カバー部材をベース部材に対してスライドさせて連結させることでスライド方向に対して直行する方向に重なる。接続部材は、カバー台座部とベース台座部とに跨る位置に挿入され、かつ抜け方向への移動が不能とされる構成になっている。
【０００６】
したがって基板ケースは、接続部材を挿入することで閉じた状態になる。そして基板ケースを開放する場合は、従来のようにカバー台座部をカバー部材から切断しただけでは不十分で、ベース台座部もベース部材から切断し、これらカバー台座部とベース台座部をカバー部材とベース部材から完全に切り離す必要がある。なぜならカバー台座部は、スライド後端部に位置しており、カバー台座部のみをカバー部材から切り離してもその位置に留まるため、カバー部材の開放方向へのスライドの妨げになるからである。そのためカバー台座部とベース台座部をカバー部材とベース部材から完全に切り離すために、基板ケースの不正開放を容易に発見することができる。
【発明を実施するための最良の形態】
【０００７】
本発明の実施の形態を図１〜８にしたがって説明する。本形態に係る遊技機１０は、パチンコ機であって、矩形枠状の外枠１１と、外枠１１に回動可能に取付けられる前枠１２を有している。前枠１２には、遊技盤１３や球タンクなどが取付けられており、遊技盤１３の背面には、基板（制御基板１４など）や電気配線などが取付けられている。
【０００８】
制御基板１４は、遊技機１０の制御を司る基板であって、透明な樹脂製の基板ケース１内に格納されている。基板ケース１は、図２に示すようにベース部材２とカバー部材３有しており、制御基板１４を格納する中空部がベース部材２とカバー部材３の間に形成されている。ベース部材２とカバー部材３の間には、これらを連結するスライド連結機構４と、基板ケース１を不正に開放できなくする不正開放防止機構５が設けられている。
【０００９】
ベース部材２は、図４に示すように底面２ａと側面２ｂ〜２ｅを有している。カバー部材３は、天面３ａと側面３ｂ〜３ｅを有しており、側面３ｂ〜３ｅと側面２ｂ〜２ｅが突き合う。
【００１０】
スライド連結機構４は、カバー部材３をベース部材２に対してスライドさせることでカバー部材３とベース部材２とを連結する機構であって、ベース部材２の側面２ｃ，２ｅに形成された係止部２ｆと、カバー部材３の側面３ｃ，３ｅに形成された係止爪３ｆを有している。係止爪３ｆは、図６に示すようにカバー部材３をベース部材２に対して平行にスライドさせることで係止部２ｆに係止し、抜け方向以外への移動が係止部２ｆによって規制される。
【００１１】
不正開放防止機構５は、基板ケース１を不正に開放できなくするとともに、基板ケース１の不正開放における痕跡を残すために、図６に示すようにベース台座部６とカバー台座部７と接続部材８を複数組（例えば四組）有している。ベース台座部６は、図４に示すように一端に開口部を有する箱形状である。ベース台座部６は、図３に示すように接続部２ｇ〜２ｌを介してベース部材２の側面（組付け時スライド方向の後端側の側面）２ｂと接続される。ベース台座部６間は、接続部２ｐ〜２ｒを介して接続される。
【００１２】
カバー台座部７は、図５に示すように貫通孔７ａを有する筒状である。カバー台座部７の一側面には、切欠き部７ｂと開口部７ｃが形成されている。切欠き部７ｂは、カバー台座部７の上端部から下方に切欠かれており、接続部材８の操作体８ｂが差込まれる。開口部７ｃは、図７に示すようにカバー台座部７の下端部に形成されており、ベース台座部６を受け入れる構成になっている。カバー台座部７は、図３に示すように接続部３ｇ〜３ｌを介してカバー部材３の側面（組付け時スライド方向の後端側の側面）３ｂと接続される。カバー台座部７間は、接続部３ｐ〜３ｒを介して接続される。
【００１３】
接続部材８は、図５に示すようにスライド体８ａと、スライド体８ａに回動可能に連結される操作体８ｂを有している。スライド体８ａは、カバー台座部７の貫通孔７ａにスライド可能に挿入される。スライド体８ａの下部には、一対の係止脚８ａ１，８ａ２が設けられており、係止脚８ａ１，８ａ２は、図７に示すようにカバー台座部７からベース台座部６に侵入した際に、弾性変形してベース台座部６内の掛止部６ａ，６ｂに係止する。そして係止状態で抜け方向への移動が防止される。
【００１４】
操作体８ｂは、図５に示すようにスライド体８ａの取付部８ａ３に回動可能に取付けられる首部８ｂ１と、首部８ｂ１の先端に設けられた頭部８ｂ２を有している。操作体８ｂは、図７に示すようにスライド体８ａに対して略直交方向に回動されることで、首部８ｂ１がカバー台座部７の切欠き部７ｂに差込まれる。そのため接続部材８は、切欠き部７ｂによって図７（Ａ）に示す待機位置で保持される。操作体８ｂをスライド体８ａの軸線上になる向きに回動させた際には、操作体８ｂをカバー台座部７内に押込むことができる。そして操作体８ｂをカバー台座部７内に押込むことでスライド体８ａがスライドし、スライド体８ａの先端部がベース台座部６に侵入する。そして操作体８ｂの頭部８ｂ２が完全にカバー台座部７内に埋設される。
【００１５】
カバー台座部７の上部には、図２，７（Ａ）に示すようにシール９が取付けられている。シール９は、カバー台座部７の貫通孔７ａの上部を覆って、接続部材８の操作体８ｂの首部８ｂ１上方を覆う。そのためシール９によって首部８ｂ１が切欠き部７ｂから抜けることが防止され、接続部材８の不正操作が確実に防止される。またシール９は、剥がした際に痕跡が残りやすい材料にて構成されている。
【００１６】
以下に、基板ケース１の組付方法を説明する。先ず図４に示すようにベース部材２に制御基板１４を取付ける。次に、図６（Ａ）に示すようにベース部材２の係止部２ｆとカバー部材３の係止爪３ｆとが並ぶ位置に、ベース部材２上にカバー部材３を設置する。続いてカバー部材３をベース部材２に対して平行にスライドさせ、係止爪３ｆを係止部２ｆに係止させる。そして該スライドによってベース台座部６とカバー台座部７とがスライド方向に対して直行する方向に重なる。
【００１７】
次に図６（Ｂ）に示すように接続部材８の操作体８ｂの一つを起立させ、その操作体８ｂをカバー台座部７に押込む（図２参照）。これにより接続部材８のスライド体８ａが図７に示すようにカバー台座部７とベース台座部６に跨った位置にスライドし、スライド体８ａの係止脚８ａ１，８ａ２がベース台座部６に係止する。したがってカバー部材３は、不正開放防止機構５によってベース部材２に対して閉じた位置で保持される。
【００１８】
ところで基板ケース１は、検査等のために１回または数回に渡って開放される。基板ケース１の開放方法は、図８に示すようにカバー台座部７をカバー部材３から切り離すとともに、ベース台座部６をベース部材２から切り離す必要がある。例えば接続部３ｇ，３ｈ，３ｐを切断することで（図３参照）、カバー台座部７をカバー部材３から切り離し、接続部２ｇ，２ｈ，２ｐを切断することで、ベース台座部６をベース部材２から切り離す。これにより一組のベース台座部６とカバー台座部７をベース部材２とカバー部材３から切り離す。そしてカバー部材３をベース部材２に対して外れる方向へスライドさせて、カバー部材３をベース部材２から取外す。
【００１９】
検査等のために開放した後に再び、基板ケース１を閉じる場合は、図６に示すようにカバー部材３をベース部材２に対してスライドさせて連結させる。そして図面奥から二つめのカバー台座部７に貼られたシール９を剥がし、奥から二つめの接続部材８の操作体８ｂを起立させてカバー台座部７に押込む。これにより基板ケース１を閉じた状態にすることができる。そして再び、基板ケース１を開放させる場合には、図面奥から二つめのカバー台座部７とベース台座部６をカバー部材３とベース部材２から切り離し、カバー部材３をベース部材２から取外す。同様の方法によって基板ケース１は、複数回（例えば計四回）閉じた状態にすることができる。
【００２０】
以上のようにして実施の形態が形成されている。すなわちベース部材２とカバー部材３の間には、図２に示すようにカバー部材３をベース部材２に対してスライドさせることでカバー部材３とベース部材２とを連結するスライド連結機構４が設けられている。不正開放防止機構５は、カバー部材３のスライド後端側に設けられたカバー台座部７と、ベース部材２に設けられたベース台座部６と、カバー台座部７とベース台座部６とを接続する接続部材８を有している。そしてカバー台座部７とベース台座部６は、カバー部材３をベース部材２に対してスライドさせて連結させることでスライド方向に対して直行する方向に重なる。接続部材８は、カバー台座部７とベース台座部６とに跨る位置に挿入され、かつ抜け方向への移動が不能とされる構成になっている。
【００２１】
したがって基板ケース１は、接続部材８を挿入することで閉じた状態になる。そして基板ケース１を開放する場合は、従来のようにカバー台座部７をカバー部材３から切断しただけでは不十分で、ベース台座部６もベース部材２から切断し、これらカバー台座部７とベース台座部６をカバー部材３とベース部材２から完全に切り離す必要がある。なぜならカバー台座部７は、スライド後端部に位置しており、カバー台座部７のみをカバー部材３から切り離してもその位置に留まるため、カバー部材３の開放方向へのスライドの妨げになるからである。そのためカバー台座部７とベース台座部６をカバー部材３とベース部材２から完全に切り離すために、基板ケース１の不正開放を容易に発見することができる。
【００２２】
（他の実施の形態）
本発明は、上記実施の形態に限定されず、以下の形態であっても良い。
（１）上記実施の形態の接続部材８は、スライド体８ａと操作体８ｂを有する形態であったが、カバー台座部からベース台座部に跨いだ位置に設置されるピンまたはワンウェイ移動のねじ等からなる形態であっても良い。
（２）上記実施の形態は、制御基板１４がベース部材２に取付けられていたが、カバー部材３側に取付けられる形態であっても良い。
（３）上記実施の形態は、ベース台座部６間を接続する接続部２ｐ〜２ｒと、カバー台座部７間を接続する接続部３ｐ〜３ｒを有していたが、これら接続部を有していない形態であっても良い。
【図面の簡単な説明】
【００２３】
【図１】遊技機の背面図である。
【図２】基板ケースの斜視図である。
【図３】基板ケースの上面図（Ａ）、正面図（Ｂ）、下面図（Ｃ）である。
【図４】基板ケースの分解斜視図である。
【図５】接続部材とカバー台座部の分解斜視図である。
【図６】組付け時の基板ケースの斜視図である。
【図７】不正開放防止機構の断面図である。
【図８】基板ケースを開放する際の基板ケースの斜視図である。
【符号の説明】
【００２４】
１・・・基板ケース
２・・・ベース部材
２ｇ〜２ｌ，２ｐ〜２ｒ，３ｇ〜３ｌ，３ｐ〜３ｒ・・・接続部
３・・・カバー部材
３ｆ・・・係止爪
４・・・スライド連結機構
５・・・不正開放防止機構
６・・・ベース台座部
７・・・カバー台座部
８・・・接続部材
８ａ・・・スライド体
８ｂ・・・操作体
９・・・シール
１０・・・遊技機
１４・・・制御基板
【図１】
2008036338.tif 000003
【図２】
2008036338.tif 000004
【図３】
2008036338.tif 000005
【図４】
2008036338.tif 000006
【図５】
2008036338.tif 000007
【図６】
2008036338.tif 000008
【図７】
2008036338.tif 000009
【図８】
2008036338.tif 000010